(57)【要約】  少なくとも部分的に織物に動作可能に一体化される布地相互接続システム（１）が提供される。相互接続システム（１）は、安全な電気的及び機械的接続を達成するために、穿孔（２２）を有する少なくとも２つの穿孔材料層（２０）を有するコネクタと、前記穿孔（２２）に行き渡る及び／又は係合するのに適した突出繊維（３２）を具える１つ又は複数の柔軟材料層（３０）とを含む。
2007526609.tif 000002
【特許請求の範囲】
【請求項１】
１つ又は複数の穿孔を有する少なくとも２つの穿孔材料層を具えるコネクタと、
１つ又は複数の突出繊維を有する１つ又は複数の柔軟材料層と、
を有し、
前記突出繊維が、前記少なくとも２つの穿孔層を係合するのに適した、
布地相互接続システム。
【請求項２】
前記少なくとも２つの穿孔層のうちの少なくとも１つが、少なくとも２つの伝導部を有する、請求項１に記載の布地相互接続システム。
【請求項３】
前記コネクタが、前記少なくとも２つの伝導部を互いに対して偏らせる１つ又は複数のバイアス要素を有する、請求項２に記載の布地相互接続システム。
【請求項４】
前記コネクタが、前記少なくとも２つの伝導部を互いに対して選択的に位置決めする１つ又は複数のアクチュエータを有する、請求項３に記載の布地相互接続システム。
【請求項５】
前記１つ又は複数のアクチュエータ及び前記１つ又は複数のバイアス要素が、前記少なくとも２つの伝導部を介して動作可能に接続される、請求項４に記載の布地相互接続システム。
【請求項６】
前記少なくとも２つの穿孔層の１つ又は複数の穿孔が、前記１つ又は複数のバイアス要素が弛緩状態にある場合に、互いに対して位置ズレされる、請求項５に記載の布地相互接続システム。
【請求項７】
前記少なくとも２つの穿孔層の前記１つ又は複数の穿孔が、前記少なくとも１つ又は複数のアクチュエータを介して互いに対して選択的に位置合わせされる、請求項６に記載の布地相互接続システム。
【請求項８】
前記コネクタが、前記少なくとも２つの穿孔層の前記１つ又は複数の穿孔を位置合わせするために前記１つ又は複数のアクチュエータを有効状態にし、また前記突出繊維が前記位置合わせされた穿孔を係合するように前記コネクタを前記１つ又は複数の柔軟材料層と接触させ、また前記１つ又は複数の穿孔が前記バイアス要素を介して位置ズレされるように前記１つ又は複数のアクチュエータを無効にすることによって、前記１つ又は複数の柔軟材料層に安全に接続され得る、請求項７に記載の布地相互接続システム。
【請求項９】
少なくとも１つが、２つ以上の伝導部を有する２つ以上の穿孔材料層と、
前記２つ以上の伝導部に動作可能に接続される１つ又は複数のバイアス要素と、
前記１つ又は複数のバイアス要素及び／又は前記２つ以上の伝導部に動作可能に接続される１つ又は複数のアクチュエータと、
を有する布地コネクタ。
【請求項１０】
前記１つ又は複数のバイアス要素が、前記２つ以上の伝導部を互いに対して第１位置に偏らせる、請求項９に記載の布地コネクタ。
【請求項１１】
１つ又は複数のアクチュエータに適用される力が、前記２つ以上の伝導部を互いに対して第２位置に偏らせる、請求項１０に記載の布地コネクタ。
【請求項１２】
各前記少なくとも２つ以上の穿孔材料層の前記１つ又は複数の穿孔が、前記第１位置において位置ズレされる、請求項１１に記載の布地コネクタ。
【請求項１３】
各前記少なくとも２つの穿孔層の前記１つ又は複数の穿孔が、前記第２位置において位置合わせされる、請求項１２に記載の布地コネクタ。
【請求項１４】
前記少なくとも２つ以上の穿孔材料層が、それぞれ、１つ又は複数の第２材料の繊維を収容するのに適している１つ又は複数の穿孔を有する、請求項１３に記載の布地コネクタ。
【請求項１５】
前記コネクタが、前記第２材料に安全に接続され得る、請求項１４に記載の布地コネクタ。
【請求項１６】
前記突出繊維が、２つ以上の所定の領域にグループ分けされる、請求項１５に記載の布地コネクタ。
【請求項１７】
前記２つ以上の所定の領域が、互いに絶縁されている、請求項１６に記載の布地コネクタ。
【請求項１８】
前記所定の領域の前記突出繊維が、伝導性であり、電源と電気的に接続されている、請求項１７に記載の布地コネクタ。
【請求項１９】
前記電源が、直流電源である、請求項１８に記載の布地コネクタ。
【請求項２０】
各前記少なくとも２つの穿孔層の前記１つ又は複数の穿孔が位置合わせされる場合に、前記突出繊維が、前記１つ又は複数の穿孔を係合し得、各前記少なくとも２つの穿孔層の前記１つ又は複数の穿孔が位置ズレされる場合に、前記２つ又は複数の伝導部の前記１つ又は複数の穿孔及び前記所定の伝導領域の前記突出繊維が、機械的に及び電気的に接続され得る、請求項１８に記載の布地コネクタ。
【発明の詳細な説明】
【技術分野】
【０００１】
本発明は、ウェアラブル電子機器用のコネクタに関する。更に特に、本発明は、「固い」装置と衣服繊維との間に効果的な機械的及び電気的な接続を達成する相互接続システムに関する。
【背景技術】
【０００２】
技術の進歩に従い、現在、布地及び衣服に接着又はこれらと一体化を必要とする様々な電子アイテムが存在する。多くの織物電子応用例において、「固い」電子装置を布地にすばやく安全なやり方で機械的に及び電気的に接続することが所望である。ウェアラブルの布地に結合するコネクタは、一般的に様々な厳しい要件を含むので、従来の電気コネクタは、この種類の接続に関してあまり適さない。
【０００３】
すなわち、多くの場合、これらのコネクタは、スキー、ハイキング、ジョギング又は自転車などのアウトドアアクティビティに共通な、湿気、幅広い温度変動、及び他の極端な環境条件に耐えることを必要とされる。斯様なコネクタは、これらのコネクタに取り付けられる電気ワイヤが、多くの場合、着用者の物理的動作において不注意で掴まれるので、様々な角度からすばやく及び不所期に接続を断たれ得、また頻繁に接続を断たれる。取り付けられたコネクタを備える布地は、多くの場合動いているので、電気的接触を切断しようと試みる、コネクタにおいて引っ張る一定の張力が電気リード線にしばしば存在する。
【０００４】
実際的な視点からは、適切な布地相互接続システムは、着用されるときに、いらつかせるものであるべきでない。相互接続システムは、それが外側で可視であるので美的に心地良くもあるべきである。また、電子装置は、常には布地に接続され得ないので、相互接続システムは、分離してあり、いかなる露出される鋭利な突出部がなくあるべきである。より更に、相互接続システムは、その重量が、軽い／薄手又は重い／厚手などのいずれの様々な布地によっても支持され得るように軽量であるべきである。更に、相互接続システムは、多数の結合、典型的な損耗、及び従来の方法を用いての洗濯に耐えるために適切に弾力のあるものであるべきである。相互接続システムは、上述の不利な条件にさらされる場合に、常に、電気的連続性を維持するように適されるべきである。
【０００５】
したがって、上述の厳重な要件の全てを満たすことが可能であるとともに、外部電子装置を衣服の布地に直接的に又は間接的にすばやく及び安全に接続し得、これにより電子装置と衣服との間の電子信号の交換が達成され得るようにされる布地相互接続システムが必要である。
【発明の開示】
【発明が解決しようとする課題】
【０００６】
本発明の目的は、布地への電子装置のすばやく安全な電気的及び機械的接続を可能にする布地相互接続システムを提供することである。
【０００７】
本発明の別の目的は、部分的に布地と統合してあり、部分的に布地の外側にある布地相互接続システムを提供することである。
【０００８】
本発明の別の目的は、少なくとも２つの穿孔材料層を有するコネクタと、前記少なくとも２つの穿孔材料層を係合するのに適した突出繊維を具える布地とを有する布地相互接続システムを提供することである。
【０００９】
本発明の別の目的は、電子装置を布地へ機械的な及び電気的なやり方で選択的に接続することを促進する布地相互接続システムを提供することである。
【００１０】
本発明の別の目的は、多数の結合に耐えるのに十分弾性のある布地相互接続システムを提供することである。
【００１１】
本発明の別の目的は、ウェアラブル衣服の１つ又は複数の部分に組み込まれる布地に関連付けられる通常の損耗の条件下で電気的連続性を維持し得る布地相互接続システムを提供することである。
【００１２】
本発明の別の目的は、美的に魅力的で、軽量で、衝撃耐性があり、かつ用いられない場合に実質的に分離している布地相互接続システムを提供することである。
【課題を解決するための手段】
【００１３】
本発明のこれら及び他の目的及び有利な点は、少なくとも部分的に織物に動作可能に統合される布地相互接続システム、及び好ましくはウェアラブル衣服によって達成される。相互接続システムは、少なくとも２つの穿孔材料層を有するコネクタと、前記少なくとも２つの穿孔材料層に行き渡る及び／又は係合するのに適した突出繊維を具える１つ又は複数の柔軟材料層とを含む。本発明は、以下に確認される図面と組み合わせて後続の例証的な実施例の詳細な説明を参照にしてより完全に理解される。
【発明を実施するための最良の形態】
【００１４】
図面を、特に図１を参照にして、参照符号１によって全体として表される本発明の例証的な実施例に従う布地相互接続システムが示される。布地相互接続システム１は、少なくとも一部、様々な織物布地の何れかに動作可能に一体化され得る。布地相互接続システム１は、少なくとも２つの穿孔材料層２０を有する少なくとも１つのコネクタ１０と、穿孔材料２０に行き渡る及び／又は係合するのに適した１つ又は複数の突出繊維３２を具える１つ又は複数の柔軟材料層３０とを含む。
【００１５】
示されるように、様々な装置のいかなるものにも一体化され得る、又は代わりに特定の応用例に関して適切であるように分離可能に結合されるコネクタ１０は、好ましくは、少なくとも２つの穿孔材料層２０を保持する本体１２を有する。本体１２は、本発明の明言された目的を達成するのに適したいかなる形状、サイズ及び／又は構造をも有し得る。例えば、本体１２は、ウェアラブル電子応用例に関して適した（図示されない）より大型の電子装置又はシステムの一部であり得る。
【００１６】
本発明の好ましい態様において、互いに隣接して配置されるのが好ましい少なくとも２つの穿孔材料層２０は、少なくとも比較的に硬く、１つ又は複数の突出繊維３２を収容するのに十分なサイズの１つ又は複数の穿孔２２を有する。穿孔２２及び／又は穿孔材料２０は、本発明の明言された目的を達成するのに適しするように、形づくられ、又は構成され得る。例えば、穿孔２２は、特定のサイズ、形状又は構造を有する特定の繊維のみを収容する又は受け入れるように特に寸法され得る。この特徴は、コネクタ１０を１つ又は複数の柔軟材料層３０に安全に電気的及び／又は機械的なやり方で接続するのを促進し得る。
【００１７】
好ましくは、少なくとも２つの穿孔材料層２０のそれぞれは、２つ以上の伝導部２４を有する。これらの伝導部は、好ましくは、例えば直流電源によって電気接続を促進するために互いから絶縁又は分離される。伝導部２４は、穿孔材料自身の特性によって本質的に伝導性であり得る。代替的に又は追加的に、伝導部２４は、例えば伝導インクなどの伝導被膜を用いて伝導性にされ得る。伝導部２４は、（図示されない）電源に直接的又は間接的に接続され得る。伝導部２４は、本発明の明言された目的を達成するのに適したいかなる形状、サイズ及び／又は構造をも有し得る。
【００１８】
本発明の別の態様において、コネクタ１０は、少なくとも２つの穿孔材料層２０の２つ以上の伝導部２４を互いに対して偏らせる(bias)のに動作可能であるのが好ましい１つ又は複数のバイアス要素１４を有し得る。バイアス要素１４は、例えば図１において示されるバネなどのいかなるもの様々な形状でも取り得る。
【００１９】
本発明の更に別の態様において、コネクタ１０は、伝導部２４又はバイアス要素１４のいずれかに動作可能に接続される１つ又は複数のアクチュエータ１６を有し得る。好ましくは、１つ又は複数のアクチュエータ１６は、伝導部２４の互いに対する選択的位置決めを可能にする。１つ又は複数のアクチュエータ１６は、様々な構造のいずれのもの（例えば、搾りボタン、押ボタン及びレバー等）でもあり得る。示されるように、アクチュエータ１６は、伝導部２４に直接接続される側面ボタンであり得、これにより、アクチュエータ１６がオンに作用されるときに、伝導部２４が、移動するようにされる。したがって、本発明のこの態様において、少なくとも２つの穿孔材料層２０が互いに隣接する場合、少なくとも１つの穿孔層の伝導部２４が、少なくとも１つの他の穿孔層に対して動くようにされ得、これにより、各穿孔２２は、選択的に位置決めされる及び／又は位置ズレされ得る。
【００２０】
本発明の更なる態様において、１つ又は複数の柔軟層３０の１つ又は複数の突出又は隆起繊維３２は、２つ以上の所定の領域３４にグループ分けされる。これらの所定の領域３４は、好ましくは、互いに絶縁され、また例えば直流（ＤＣ）電源（図示されず）などの供給電源と電気的に伝達状態に好ましくはあるように伝導性である。
【００２１】
好ましくは、伝導性所定領域３４は、少なくともいくつかの突出繊維３２の特性によって本質的に伝導性であり得る。例えば、伝導性所定領域３４の突出繊維３２は、金属メッキホイル、伝導性ポリマ、又は黒鉛化若しくは金属メッキ化繊維若しくは編み糸などを含むいかなる適した伝導材料製でもあり得る。代替的に又は追加的に、所定の領域３４、及び／又は突出繊維３２は、例えば伝導インクなどの伝導被膜を用いて伝導性にされ得る。所定の領域３４は、容易に可視化され得るので、識別及び／又はそれへの接続は、視覚に基づいて容易に行われ得る。
【００２２】
好ましくは、突出繊維３２は、本発明の明言された目的を達成するのに適したいかなる形状、サイズ及び／又は構造をも有し得る。例えば、各突出繊維３２は、高い抗張力及び重量と、製造及び着用において高い程度の柔軟性を提供する材料の一貫性とを有し、少なくとも２つの穿孔材料層２０を行き渡らせ及び／又は係合し得る。加えて、所定の伝導性領域３４の伝導性突出繊維３２は、電源へ電気的に直接的又は間接的に接続され得る。突出繊維３２は、例えば本発明の明言された目的等を含む様々な応用例に適応するために、異なる形状、サイズ及び／又は構造をも有し得る。
【００２３】
本発明の好ましい態様のいくつかを説明してきたが、詳細は様々な方法で修正され得、代替実施例も本発明の範囲内にあることが理解され得る。
【００２４】
以下に図２ないし４を参照にすると、応用例において、コネクタ１０は、バイアス要素１４を抑えるとともに少なくとも１つの穿孔材料層２０の１つ又は複数の伝導部２４を互いに対して偏らせるために１つ又は複数のアクチュエータ１６を有効状態にすることによって、１つ又は複数の柔軟材料層３０に安全に接続され得る。例えば、図２に示されるように、バイアス要素１４は、少なくとも１つの穿孔層２０の伝導部２４を少なくとも第１位置に互いに対して偏らせることが可能である。好ましくは、前記少なくとも１つの第１位置において、各穿孔層２０の１つ又は複数の穿孔２２は、位置ズレされる。更に、図３に示されるように、力Ｆをアクチュエータ１６に適用することによって、伝導部２４は、互いに対して少なくとも第２位置に偏らせられ得る。好ましくは、少なくとも１つの第２位置において、各穿孔層２０の１つ又は複数の穿孔は、位置合わせされる。
したがって、少なくとも２つの隣接する穿孔層２０の１つ又は複数の穿孔２２は、位置合わせされる場合、コネクタ１０は、１つ又は複数の柔軟材料層３０に接触されるようにされ得、突出繊維３２は、図２に示されるように、穿孔２２に入る、すなわち係合し得る。突出繊維３２が穿孔２２を係合すると、アクチュエータ１６は、無効状態にされ得、穿孔２２は、図３に示されるように、１つ又は複数のバイアス要素１４を介して位置ズレされることになる。突出繊維３２及び、更に好ましくは、少なくとも１つの伝導性所定領域３４の突出繊維３２は、好ましくは、穿孔材料層の穿孔２２が位置ズレされる場合に、穿孔層２０のうちの少なくとも１つの１つ又は複数の伝導部２４に安全に機械的に及び電気的に接続される。コネクタ１０は、１つ又は複数の柔軟材料層３０から上述の方法と類似の方法で分離され得ることを注意するべきである。
【００２５】
本発明は、例証される実施例に特に参照される上述のように説明されてきたように、本文書に規定される本発明の精神から逸脱することなく様々な変更及び修正が行われ得ることは明らかである。
【図面の簡単な説明】
【００２６】
【図１】図１は、本発明の例証的な実施例に従うエアフィルタ及び／又はイオナイザの概略的な側面断面図である。
【図２】図２は、図１のエアフィルタ及び／又はイオナイザの概略的な分解斜視図である。
【図３】図３は、第１非動作状態にある図１のエアフィルタ及び／又はイオナイザを示す、本発明の例証的な実施例に従う衣服の概略図を示す。
【図４】図４は、図１のエアフィルタ及び／又はイオナイザを示す、本発明の例証的な実施例に従う衣服の概略図を示す。
【図１】
2007526609.tif 000003
【図２】
2007526609.tif 000004
【図３】
2007526609.tif 000005
【図４】
2007526609.tif 000006
【国際調査報告】
2007526609.tif 000007
2007526609.tif 000008
2007526609.tif 000009